(57)【要約】【課題】書類束をセットしておくだけで、自動的にシュレッダーに制限枚数の書類束が送出され、裁断させることができる給紙装置付シュレッダー及び給紙装置を提供する提供する。【解決手段】駆動源により動作する２つの噛合する切断刃からなるシュレッダー部と、カバーに、紙葉をセットして保持する給紙トレイと、給紙トレイの基部に上下動自在となるように枢着し紙葉束を持ち上げる底上げ部と、給紙トレイから複数枚の紙葉を送り出す第一送りローラと、送り出された紙葉の枚数を制御するために裁断可能枚数程度の用紙だけを通過させるさばき壁と、さばき壁を通過した紙葉を送り出す第二送りローラと、第二送りローラからシュレッダーの裁断可能枚数以下を送り出すための制御部と、制御部を抜けた紙葉をシュレッダーに挟持送出する第三送りローラ及び第四送りローラと、第一送りローラと第二送りローラの駆動を制御する制御スイッチと、からなる構造である。【選択図】  図１
2007204209.tif 000002
【特許請求の範囲】
【請求項１】
駆動源により動作する２つの噛合する切断刃からなるシュレッダー部に、
カバーと、紙葉をセットして保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるさばき壁と、前記さばき壁を通過した紙葉を送り出す第二送りローラと、該第二送りローラからシュレッダーの裁断可能枚数以下を送り出すための制御部と、該制御部を抜けた紙葉をシュレッダーに挟持送出する第三送りローラ及び第四送りローラと、前記第二送りローラの駆動を制御する制御スイッチと、からなる給紙装置を装備したことを特徴とする給紙装置付シュレッダー
【請求項２】
前記第一送りローラ、第二送りローラ、第三送りローラ、第四送りローラは、それぞれ係合するギアで駆動力を伝達しており、前記第四送りローラのギアは、前記シュレッダーの片方の切断刃に装着し動力を伝達しているギアと係合し動力をシュレッダーから伝達されることを特徴とする請求項１記載の給紙装置付シュレッダー
【請求項３】
シュレッダーに紙葉束を機械的に挿入する給紙装置が、紙葉束を保持し自動的に送出するためにシュレッダーに着脱自在に装備されることを特徴とする給紙装置
【請求項４】
前記給紙装置において、カバーと、紙葉をセットして保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるさばき壁と、前記さばき壁を通過した紙葉を送り出す第二送りローラと、該第二送りローラからシュレッダーの裁断可能枚数以下を送り出すための制御部と、該制御部を抜けた紙葉をシュレッダーに挟持送出する第三送りローラ及び第四送りローラと、前記第二送りローラの駆動を制御する制御スイッチと、電源を供給して駆動する駆動源と、該駆動源から第一送りローラと第二送りローラと第三送りローラと第四送りローラを動かすために係合しているギアと、からなることを特徴とする請求項３記載の給紙装置
【請求項５】
前記カバーには、１枚からシュレッダーの裁断可能枚数を超えない複数枚の紙葉を直接シュレッダーに投入するために、挿入口を設けたことを特徴とする請求項２記載の給紙装置付シュレッダー
【発明の詳細な説明】
【技術分野】
【０００１】
本発明は、紙葉を裁断するシュレッダーに関し、特に複数枚の紙葉を自動的に送り出して裁断させることができる給紙装置付シュレッダー及び給紙装置に関する。
【背景技術】
【０００２】
近年情報流出防止の観点から、書類をそのまま破棄せずにシュレッダー等の裁断機により粉砕してからゴミ処理を行っている。シュレッダーも近年では性能が上がり、細かく裁断するものが増えているが、一度に処理できる枚数は限られているのが問題であった。今まで販売されているシュレッダーは、一枚若しくはシュレッダーに規定されている裁断可能枚数を直接シュレッダーの投入口に入れなければならず、大量の枚数をシュレッダーに裁断させるときは、稼動している間シュレッダーから離れられないという問題があった。
そこで、シュレッダーに専用の給紙装置を装着して、複数枚の書類束を自動的に裁断できる給紙装置付シュレッダー及び給紙装置の開発が待たれていた。
【特許文献１】特開２００５−４６８２７号
【発明の開示】
【発明が解決しようとする課題】
【０００３】
上記問題を解決するため、本発明に係る給紙装置付シュレッダー及び給紙装置は、書類束をセットしておくだけで、自動的にシュレッダーに制限枚数の書類束が送出され、裁断させることができる給紙装置付シュレッダー及び給紙装置を提供することを目的としている。
【課題を解決するための手段】
【０００４】
本発明に係る給紙装置付シュレッダー及び給紙装置は、駆動源により動作する２つの噛合する切断刃からなるシュレッダー部と、カバーに、紙葉をセットして保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるさばき壁と、前記さばき壁を通過した紙葉を送り出す第二送りローラと、該第二送りローラからシュレッダーの裁断可能枚数以下を送り出すための制御部と、該制御部を抜けた紙葉をシュレッダーに挟持送出する第三送りローラ及び第四送りローラと、前記第一送りローラと前記第二送りローラの駆動を制御する制御スイッチと、からなる給紙装置を装備した構造である。
【０００５】
前記第一送りローラ、第二送りローラ、第三送りローラ、第四送りローラは、それぞれ係合するギアで駆動力を伝達しており、前記第四送りローラのギアは、前記シュレッダーの片方の切断刃に装着し動力を伝達しているギアと係合し動力をシュレッダーから伝達される構造でもある。
【０００６】
シュレッダーに紙葉束を機械的に挿入する給紙装置が、紙葉束を保持し自動的に送出するためにシュレッダーに着脱自在に装備される構造である。
前記給紙装置において、カバーと、紙葉をセットして保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるさばき壁と、前記さばき壁を通過した紙葉を送り出す第二送りローラと、該第二送りローラからシュレッダーの裁断可能枚数以下を送り出すための制御部と、該制御部を抜けた紙葉をシュレッダーに挟持送出する第三送りローラ及び第四送りローラと、前記第二送りローラの駆動を制御する制御スイッチと、電源を供給して駆動する駆動源と、該駆動源から第一送りローラと第二送りローラと第三送りローラと第四送りローラを動かすために係合しているギアと、からなる構造である。
【０００７】
前記カバーには、１枚からシュレッダーの裁断可能枚数を超えない複数枚の紙葉を直接シュレッダーに投入するために、挿入口を設けた構造である。
【発明の効果】
【０００８】
以上詳述した通り、本発明に係る給紙装置付シュレッダー及び給紙装置は、
１．シュレッダーに規定される裁断可能枚数以下となるように制御しつつ自動的に裁断させることが可能である。
２．給紙装置の各ギアとシュレッダーの切断刃のギアとが係合しているため、裁断速度と給紙速度の同期が容易に取れ、駆動装置を給紙装置が持たない為安価に提供することができる。
３．給紙装置を単体で提供することができるため、従来から販売されているシュレッダーに装着して動作させることが可能である。
４．給紙装置自体に駆動源を装備して稼動できる構成とすることも出来るので、どのシュレッダーに装備しても動作させることができる。
５．少数の紙葉を裁断させることができるように挿入口を設けたため、紙葉を直接シュレッダーに投入することが可能である。
【発明を実施するための最良の形態】
【０００９】
以下に、本発明に係る給紙装置付シュレッダー及び給紙装置を図面に示す実施例により説明する。図１は本発明の給紙装置付シュレッダーの側断面図であり、図２は給紙装置付シュレッダーの拡大側断面図である。
本発明の給紙装置付シュレッダー１０は、シュレッダー部１と給紙装置２とからなる。
シュレッダー部１は、販売されているシュレッダーと構造は同じであるが、駆動源（図示しない）からギアを介して切断刃に回動力が伝達される。この実施例では片方の切断刃に連動しているギアが給紙装置の１つのギアと係合し動力を伝える構成である。
【００１０】
給紙装置２は、本体カバー２０と、給紙トレイ３０と、底上げ部４０と、第一送りローラ５０と、さばき壁６０と、第二送りローラ７０と、制御部８０と、第三送りローラ９０と、第四送りローラ１００と、制御スイッチ１１０と、からなる。
本体カバー２０は、給紙装置２を覆うカバーであり、構成される素材は限定されない。本体カバー２０には、挿入口が１２０が形成されている。この挿入口１２０は、シュレッダーの挿入口とほぼ同じまたは少し狭い幅で構成されるのが望ましい。
【００１１】
給紙トレイ３０は、シュレッダーに送り込んで裁断するための紙葉を保持するトレイであり、底上げ部４０が回動自在となるように枢着（軸支）されている構造である。給紙トレイ３０の大きさには特に限定はなく、装着するシュレッダーが裁断できる用紙のサイズに合わせて給紙トレイ３０自体の大きさを変更することも可能である。底上げ部４０は、給紙トレイ３０にセットされた紙葉束を第一送りローラ５０が送り出しやすいように弾性体を底部に配置して持ち上げる構造である。また、枢着（軸支）部分に弾性体を係合させて持ち上げる構造としてもよい。
給紙トレイ３０と上げ底４０は図面で示すように傾斜に装備されている。これは紙葉が自重により第一送りローラ５０に簡単に送り込まれるようにするためである。この実施例では傾斜を持たせた状態であるが、給紙トレイを水平に設置することも可能である。その際には、第一送りローラ４０が紙葉を牽引する力が強くないと紙葉を送り出すことができないため、給紙トレイ３０は傾斜を持たせることが望ましい。
【００１２】
第一送りローラ５０は、給紙トレイ３０に保持されている紙葉束をシュレッダーに送り出すために紙を挟持移動させるローラであり、紙葉束の下端部分に当接するように配置されている。また、ギア（図示しない）により駆動する構造となっている。
さばき壁６０は、第一送りローラ５０から送り出された紙葉束をシュレッダーが一度に裁断できる規定枚数程度に制限して送り出すための当接壁であり、規定枚数（裁断可能枚数）を大幅に上回る紙が送り出されようとした際に、このさばき壁６０で止められて送り出されない状態とする。
第二送りローラ７０は、第一送りローラ５０から送り出された紙葉束を更に送り出すローラである。第二送りローラ７０の下部には、制御部８０が設置されており、第二送りローラ７０と制御部８０の間隙はシュレッダーの切断有効枚数以下が通過できる程度の巾に設定している。すなわち、第一送りローラ５０とさばき壁、第二送りローラ７０と制御部８０の２段階の制御により、シュレッダーに投入される紙葉の枚数を各シュレッダーの能力に応じて裁断有効枚数以下としている。
【００１３】
第三送りローラ９０と第四送りローラ１００は、第二送りローラ７０と制御部８０を通過した紙葉束を挟持してシュレッダー部に送出するローラである。また、第四送りローラーには、さらにギアを係合させて確実に動力を伝達する構成とすることもできる。
制御スイッチ１１０は、第三送りローラ９０と第四送りローラ１００により紙葉束が挟持送出されている際に、更に第一送りローラ及び第二送りローラの回動を制御するもので、紙葉束が通過中にはスイッチがオンとなるように制御スイッチが押された状態となっている。これは、全体のローラが動作した状態では、常に紙葉束がシュレッダーに送出され、給紙装置内で紙詰まりを起こすことになるので、これを制御防止している。また、図示しないが、この実施例の制御は電磁クラッチで制御している。電磁クラッチ以外の制御部材を用いることも可能である。
また、制御スイッチ１１０は、各種センサーとし、連動させることも可能である。
【００１４】
この実施例は図示しないが、それぞれのローラにギアが接合されており、ギアの回動によりローラが回動する構成である。また、第四送りローラのギアは、シュレッダー部の切断刃のギアと係合している構成であるので、給紙装置に駆動源を設けない構造となっている。このため、コストの削減になるほか、シュレッダー部の切断刃との同期を簡単にとることができる利点がある。
【００１５】
次に、本発明の給紙装置付シュレッダーの動作を詳細に説明する。裁断する紙葉束を給紙トレイ３０の底上げ部４０にセットする。セットされた紙葉束の下端は第一送りローラ５０に当接しており、紙葉束上部の複数枚が送り出される。なお、給紙トレイ３０が傾斜しているため、自重により第一送りローラと紙葉束は必ず当接している状態であるため、第一送りローラが回動する限り自重で紙葉束は送出される構成である。
【００１６】
シュレッダー部若しくは給紙装置に設置されている起動スイッチ（図示せず）を押すことにより給紙装置付シュレッダーは起動し動作が開始される。第一送りローラから送り出された書類束は、さばき壁により枚数が限定される。プリンター等で用いられる給紙装置では、紙を一枚だけ送る為に工夫がされているが、本件発明の給紙装置では複数枚を同時に送り出すことを目的としている。そのため、さばき壁の高さを少し低く設定し、シュレッダーの裁断可能枚数程度の紙葉束を送り出す構成としている。
【００１７】
第一送りローラとさばき壁を通過した紙葉束は、第二送りローラと制御部との間隙を通過することにより、さらにシュレッダーの裁断可能枚数以下に制御される。第二送りローラから送り出された紙葉束は、第三送りローラ及び第４送りローラに挟持送出される。送り出された紙葉束が制御スイッチに触れることにより、第一送りローラ及び第二送りローラの回動がストップする。常に紙葉を束にして送出される構成であるので、紙詰まりを起こす可能性があるため紙詰まりを防止する手段である。また、第二送りローラがストップしても、第三送りローラと第四送りローラにより挟持され送出されるので、紙葉束は確実にシュレッダー部に送出される。
【００１８】
この実施例では、シュレッダー部に送出された紙葉束は、図示してないが、起動スイッチをＯＮにすることにより移動する構造である。しかし、従来から販売されているシュレッダーと同様に、センサーが感知して切断刃が回転し裁断する構成も可能である。
【００１９】
また、従来から販売されているシュレッダーに本発明の給紙装置が取り付けられるようにするため、給紙装置に駆動源を設けて給紙装置単体で動作させる構造とすることも可能である。その際に、切断刃の回転速度をＶとし、第一送りローラの回転速度をＶ１、第二送りローラの回転速度をＶ２、第三送りローラの回転速度をＶ３、第四送りローラの回転速度をＶ４とすると、回転速度の比率をＶ＞Ｖ４＝Ｖ３＞Ｖ２＞Ｖ１とすることにより、紙詰まりがなくスムーズに給紙動作をさせることが可能となる。
また、従来から販売されているシュレッダーの切断刃の回転速度が速い場合には、第三送りローラに一方向クラッチを組み込み速度調整を行うことで対応することができる。
【００２０】
また、給紙装置２のカバー２０には挿入口１２０が形成されており、少数の書類束を裁断したい場合に、シュレッダー部に直接投入できる構成としている。
【００２１】
従来から販売されているシュレッダーは手動で紙葉を投入しなければならないので、稼動中就いている必要があるという問題があったが、本発明の給紙装置付シュレッダー及び給紙装置を用いれば自動的に紙葉束を裁断させることが可能となる。給紙装置を既存のシュレッダーに装備するためには、取り付け部材を新たに設ける必要があるが、本発明の給紙装置を装備できるシュレッダーであれば取り付け部材は必要はない。また、給紙トレイ３０や底上げ部４０にセンサーを設置することにより、給紙トレイに紙葉がなくなった際に自動的にオフとなる構成も考えられる。
【図面の簡単な説明】
【００２２】
【図１】本発明の給紙装置付シュレッダーの側断面図
【図２】本発明の給紙装置付シュレッダーの拡大側断面図
【符号の説明】
【００２３】
１      シュレッダー部
２      給紙装置
１０    給紙装置付シュレッダー
２０    カバー
３０    給紙トレイ
４０    底上げ部
５０    第一送りローラ
６０    さばき壁
７０    第二送りローラ
８０    制御部
９０    第三送りローラ
１００  第四送りローラ
１１０  制御スイッチ
１２０  挿入口
【図１】
2007204209.tif 000003
【図２】
2007204209.tif 000004
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
駆動源により動作する２つの噛合する切断刃からなるシュレッダー部に、
カバーと、紙葉をセットして傾斜を持たせて保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるように当接端を斜めに形成したさばき壁と、前記さばき壁を通過した紙葉を送り出す第二送りローラと、該第二送りローラからシュレッダーの裁断可能枚数以下を送り出す程度の巾に設定するように第二ローラに向かって突き出した制御部と、該制御部を抜けた紙葉をシュレッダーに挟持送出する第三送りローラ及び第四送りローラと、前記第二送りローラの駆動を制御する制御スイッチと、からなる給紙装置を装備したことを特徴とする給紙装置付シュレッダー
【請求項２】
前記第一送りローラ、第二送りローラ、第三送りローラ、第四送りローラは、それぞれ係合するギアで駆動力を伝達しており、前記第四送りローラのギアは、前記シュレッダーの片方の切断刃に装着し動力を伝達しているギアと係合し動力をシュレッダーから伝達されることを特徴とする請求項１記載の給紙装置付シュレッダー
【請求項３】
紙葉束を保持し自動的に送出するためにシュレッダーに着脱自在に装備される給紙装置において、カバーと、紙葉をセットして傾斜を持たせて保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるように当接端を斜めに形成したさばき壁と、前記さばき壁を通過した紙葉を送り出す第二送りローラと、該第二送りローラからシュレッダーの裁断可能枚数以下を送り出す程度の巾に設定するように第二ローラに向かって突き出した制御部と、該制御部を抜けた紙葉をシュレッダーに挟持送出する第三送りローラ及び第四送りローラと、前記第二送りローラの駆動を制御する制御スイッチと、電源を供給して駆動する駆動源と、該駆動源から第一送りローラと第二送りローラと第三送りローラと第四送りローラを動かすために係合しているギアと、からなることを特徴とする給紙装置
【請求項４】
前記カバーには、１枚からシュレッダーの裁断可能枚数を超えない複数枚の紙葉を直接シュレッダーに投入するために、挿入口を設けたことを特徴とする請求項２および３記載の給紙装置付シュレッダー
【手続補正２】
【補正対象書類名】明細書
【補正対象項目名】全文
【補正方法】変更
【補正の内容】
【発明の詳細な説明】
【技術分野】
【０００１】
本発明は、紙葉を裁断するシュレッダーに関し、特に複数枚の紙葉を自動的に送り出して裁断させることができる給紙装置付シュレッダー及び給紙装置に関する。
【背景技術】
【０００２】
近年情報流出防止の観点から、書類をそのまま破棄せずにシュレッダー等の裁断機により粉砕してからゴミ処理を行っている。シュレッダーも近年では性能が上がり、細かく裁断するものが増えているが、一度に処理できる枚数は限られているのが問題であった。今まで販売されているシュレッダーは、一枚若しくはシュレッダーに規定されている裁断可能枚数を直接シュレッダーの投入口に入れなければならず、大量の枚数をシュレッダーに裁断させるときは、稼動している間シュレッダーから離れられないという問題があった。
そこで、シュレッダーに専用の給紙装置を装着して、複数枚の書類束を自動的に裁断できる給紙装置付シュレッダー及び給紙装置の開発が待たれていた。
【特許文献１】特開２００５−４６８２７号
【発明の開示】
【発明が解決しようとする課題】
【０００３】
上記問題を解決するため、本発明に係る給紙装置付シュレッダー及び給紙装置は、書類束をセットしておくだけで、自動的にシュレッダーに制限枚数の書類束が送出され、裁断させることができる給紙装置付シュレッダー及び給紙装置を提供することを目的としている。
【課題を解決するための手段】
【０００４】
本発明に係る給紙装置付シュレッダー及び給紙装置は、駆動源により動作する２つの噛合する切断刃からなるシュレッダー部に、カバーと、紙葉をセットして傾斜を持たせて保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるように当接端を斜めに形成したさばき壁と、前記さばき壁を通過した紙葉を送り出す第二送りローラと、該第二送りローラからシュレッダーの裁断可能枚数以下を送り出す程度の巾に設定するように第二ローラに向かって突き出した制御部と、該制御部を抜けた紙葉をシュレッダーに挟持送出する第三送りローラ及び第四送りローラと、前記第二送りローラの駆動を制御する制御スイッチと、からなる給紙装置を装備した構造である。
【０００５】
前記第一送りローラ、第二送りローラ、第三送りローラ、第四送りローラは、それぞれ係合するギアで駆動力を伝達しており、前記第四送りローラのギアは、前記シュレッダーの片方の切断刃に装着し動力を伝達しているギアと係合し動力をシュレッダーから伝達される構造でもある。
【０００６】
紙葉束を保持し自動的に送出するためにシュレッダーに着脱自在に装備される給紙装置において、カバーと、紙葉をセットして傾斜を持たせて保持する給紙トレイと、該給紙トレイの基部に上下動自在となるように枢着し紙葉束を持ち上げる底上げ部と、前記給紙トレイから複数枚の紙葉を送り出す第一送りローラと、送り出された紙葉の枚数を制御するために裁断可能枚数程度の用紙だけを通過させるように当接端を斜めに形成したさばき壁と、前記さばき壁を通過した紙葉を送り出す第二送りローラと、該第二送りローラからシュレッダーの裁断可能枚数以下を送り出す程度の巾に設定するように第二ローラに向かって突き出した制御部と、該制御部を抜けた紙葉をシュレッダーに挟持送出する第三送りローラ及び第四送りローラと、前記第二送りローラの駆動を制御する制御スイッチと、電源を供給して駆動する駆動源と、該駆動源から第一送りローラと第二送りローラと第三送りローラと第四送りローラを動かすために係合しているギアと、からなる構造である。
【０００７】
前記カバーには、１枚からシュレッダーの裁断可能枚数を超えない複数枚の紙葉を直接シュレッダーに投入するために、挿入口を設けた構造である。
【発明の効果】
【０００８】
以上詳述した通り、本発明に係る給紙装置付シュレッダー及び給紙装置は、
１．シュレッダーに規定される裁断可能枚数以下となるように制御しつつ自動的に裁断させることが可能である。
２．給紙装置の各ギアとシュレッダーの切断刃のギアとが係合しているため、裁断速度と給紙速度の同期が容易に取れ、駆動装置を給紙装置が持たない為安価に提供することができる。
３．給紙装置を単体で提供することができるため、従来から販売されているシュレッダーに装着して動作させることが可能である。
給紙装置自体に駆動源を装備して稼動できる構成とすることも出来るので、どのシュレッダーに装備しても動作させることができる。
４．少数の紙葉を裁断させることができるように挿入口を設けたため、紙葉を直接シュレッダーに投入することが可能である。
【発明を実施するための最良の形態】
【０００９】
以下に、本発明に係る給紙装置付シュレッダー及び給紙装置を図面に示す実施例により説明する。図１は本発明の給紙装置付シュレッダーの側断面図であり、図２は給紙装置付シュレッダーの拡大側断面図である。
本発明の給紙装置付シュレッダー１０は、シュレッダー部１と給紙装置２とからなる。
シュレッダー部１は、販売されているシュレッダーと構造は同じであるが、駆動源（図示しない）からギアを介して切断刃に回動力が伝達される。この実施例では片方の切断刃に連動しているギアが給紙装置の１つのギアと係合し動力を伝える構成である。
【００１０】
給紙装置２は、本体カバー２０と、給紙トレイ３０と、底上げ部４０と、第一送りローラ５０と、さばき壁６０と、第二送りローラ７０と、制御部８０と、第三送りローラ９０と、第四送りローラ１００と、制御スイッチ１１０と、からなる。
本体カバー２０は、給紙装置２を覆うカバーであり、構成される素材は限定されない。本体カバー２０には、挿入口が１２０が形成されている。この挿入口１２０は、シュレッダーの挿入口とほぼ同じまたは少し狭い幅で構成されるのが望ましい。
【００１１】
給紙トレイ３０は、シュレッダーに送り込んで裁断するための紙葉を保持するトレイであり、底上げ部４０が回動自在となるように枢着（軸支）されている構造である。給紙トレイ３０の大きさには特に限定はなく、装着するシュレッダーが裁断できる用紙のサイズに合わせて給紙トレイ３０自体の大きさを変更することも可能である。底上げ部４０は、給紙トレイ３０にセットされた紙葉束を第一送りローラ５０が送り出しやすいように弾性体を底部に配置して持ち上げる構造である。また、枢着（軸支）部分に弾性体を係合させて持ち上げる構造としてもよい。
給紙トレイ３０と上げ底４０は図面で示すように傾斜に装備されている。これは紙葉が自重により第一送りローラ５０に簡単に送り込まれるようにするためである。この実施例では傾斜を持たせた状態であるが、給紙トレイを水平に設置することも可能である。その際には、第一送りローラ４０が紙葉を牽引する力が強くないと紙葉を送り出すことができないため、給紙トレイ３０は傾斜を持たせることが望ましい。
【００１２】
第一送りローラ５０は、給紙トレイ３０に保持されている紙葉束をシュレッダーに送り出すために紙を挟持移動させるローラであり、紙葉束の下端部分に当接するように配置されている。また、ギア（図示しない）により駆動する構造となっている。
さばき壁６０は、第一送りローラ５０から送り出された紙葉束をシュレッダーが一度に裁断できる規定枚数程度に制限して送り出すための当接壁であり、規定枚数（裁断可能枚数）を大幅に上回る紙が送り出されようとした際に、このさばき壁６０で止められて送り出されない状態とする。このさばき壁は、紙が送出される当接端６２を複数枚の紙葉が通過できるように斜めに形成した構造である。
第二送りローラ７０は、第一送りローラ５０から送り出された紙葉束を更に送り出すローラである。第二送りローラ７０の下部には、裁断可能枚数以下程度の巾に設定するように第二ローラに向かって突き出した制御部８０が設置されており、第二送りローラ７０と制御部８０の間隙はシュレッダーの切断有効枚数以下が通過できる程度の巾に設定している。すなわち、第一送りローラ５０とさばき壁、第二送りローラ７０と制御部８０の２段階の制御により、シュレッダーに投入される紙葉の枚数を各シュレッダーの能力に応じて裁断有効枚数以下としている。
【００１３】
第三送りローラ９０と第四送りローラ１００は、第二送りローラ７０と制御部８０を通過した紙葉束を挟持してシュレッダー部に送出するローラである。また、第四送りローラーには、さらにギアを係合させて確実に動力を伝達する構成とすることもできる。
制御スイッチ１１０は、第三送りローラ９０と第四送りローラ１００により紙葉束が挟持送出されている際に、更に第一送りローラ及び第二送りローラの回動を制御するもので、紙葉束が通過中にはスイッチがオンとなるように制御スイッチが押された状態となっている。これは、全体のローラが動作した状態では、常に紙葉束がシュレッダーに送出され、給紙装置内で紙詰まりを起こすことになるので、これを制御防止している。また、図示しないが、この実施例の制御は電磁クラッチで制御している。電磁クラッチ以外の制御部材を用いることも可能である。
また、制御スイッチ１１０は、各種センサーとし、連動させることも可能である。
【００１４】
この実施例は図示しないが、それぞれのローラにギアが接合されており、ギアの回動によりローラが回動する構成である。また、第四送りローラのギアは、シュレッダー部の切断刃のギアと係合している構成であるので、給紙装置に駆動源を設けない構造となっている。このため、コストの削減になるほか、シュレッダー部の切断刃との同期を簡単にとることができる利点がある。
【００１５】
次に、本発明の給紙装置付シュレッダーの動作を詳細に説明する。裁断する紙葉束を給紙トレイ３０の底上げ部４０にセットする。セットされた紙葉束の下端は第一送りローラ５０に当接しており、紙葉束上部の複数枚が送り出される。なお、給紙トレイ３０が傾斜しているため、自重により第一送りローラと紙葉束は必ず当接している状態であるため、第一送りローラが回動する限り自重で紙葉束は送出される構成である。
【００１６】
シュレッダー部若しくは給紙装置に設置されている起動スイッチ（図示せず）を押すことにより給紙装置付シュレッダーは起動し動作が開始される。第一送りローラから送り出された書類束は、さばき壁により枚数が限定される。プリンター等で用いられる給紙装置では、紙を一枚だけ送る為に工夫がされているが、本件発明の給紙装置では複数枚を同時に送り出すことを目的としている。そのため、さばき壁の高さを少し低く設定し、シュレッダーの裁断可能枚数程度の紙葉束を送り出す構成としている。
【００１７】
第一送りローラとさばき壁を通過した紙葉束は、第二送りローラと制御部との間隙を通過することにより、さらにシュレッダーの裁断可能枚数以下に制御される。第二送りローラから送り出された紙葉束は、第三送りローラ及び第４送りローラに挟持送出される。送り出された紙葉束が制御スイッチに触れることにより、第一送りローラ及び第二送りローラの回動がストップする。常に紙葉を束にして送出される構成であるので、紙詰まりを起こす可能性があるため紙詰まりを防止する手段である。また、第二送りローラがストップしても、第三送りローラと第四送りローラにより挟持され送出されるので、紙葉束は確実にシュレッダー部に送出される。
【００１８】
この実施例では、シュレッダー部に送出された紙葉束は、図示してないが、起動スイッチをＯＮにすることにより移動する構造である。しかし、従来から販売されているシュレッダーと同様に、センサーが感知して切断刃が回転し裁断する構成も可能である。
【００１９】
また、従来から販売されているシュレッダーに本発明の給紙装置が取り付けられるようにするため、給紙装置に駆動源を設けて給紙装置単体で動作させる構造とすることも可能である。その際に、切断刃の回転速度をＶとし、第一送りローラの回転速度をＶ１、第二送りローラの回転速度をＶ２、第三送りローラの回転速度をＶ３、第四送りローラの回転速度をＶ４とすると、回転速度の比率をＶ＞Ｖ４＝Ｖ３＞Ｖ２＞Ｖ１とすることにより、紙詰まりがなくスムーズに給紙動作をさせることが可能となる。
また、従来から販売されているシュレッダーの切断刃の回転速度が速い場合には、第三送りローラに一方向クラッチを組み込み速度調整を行うことで対応することができる。
【００２０】
また、給紙装置２のカバー２０には挿入口１２０が形成されており、少数の書類束を裁断したい場合に、シュレッダー部に直接投入できる構成としている。
【００２１】
従来から販売されているシュレッダーは手動で紙葉を投入しなければならないので、稼動中就いている必要があるという問題があったが、本発明の給紙装置付シュレッダー及び給紙装置を用いれば自動的に紙葉束を裁断させることが可能となる。給紙装置を既存のシュレッダーに装備するためには、取り付け部材を新たに設ける必要があるが、本発明の給紙装置を装備できるシュレッダーであれば取り付け部材は必要はない。また、給紙トレイ３０や底上げ部４０にセンサーを設置することにより、給紙トレイに紙葉がなくなった際に自動的にオフとなる構成も考えられる。
【図面の簡単な説明】
【００２２】
【図１】本発明の給紙装置付シュレッダーの側断面図
【図２】本発明の給紙装置付シュレッダーの拡大側断面図
【符号の説明】
【００２３】
１      シュレッダー部
２      給紙装置
１０    給紙装置付シュレッダー
２０    カバー
３０    給紙トレイ
４０    底上げ部
５０    第一送りローラ
６０    さばき壁
６２    当接端
７０    第二送りローラ
８０    制御部
９０    第三送りローラ
１００  第四送りローラ
１１０  制御スイッチ
１２０  挿入口
【手続補正３】
【補正対象書類名】図面
【補正対象項目名】図２
【補正方法】変更
【補正の内容】
【図２】
2007204209.tif 000005